(57)【要約】【課題】作業性の向上を図る。【解決手段】電線ガイド装置Ａは、複数のリンク部材１１を一列に連結することで湾曲変形可能に構成され、内部にワイヤーハーネス２５（電線）が挿通されるようになっている電線ガイド体１０と、伸縮性を有し、電線ガイド体１０に対し周方向に巻き付けて包囲する自着性布材２０と、自着性布材２０を電線ガイド体１０に固定するためのクリップ２１（固定手段）とを備えている。自着性布材２０は、周方向に巻き付けることによって電線ガイド体１０を包囲するようになっているので、電線ガイド体１０が長尺であっても作業が簡単で済む。また、自着性布材２０は、クリップ２１によってリンク部材１１に固定されるので、電線ガイド体１０から外れたり捲れたりする虞はない。【選択図】図３
2017055549.tif 000002
【特許請求の範囲】
【請求項１】
複数のリンク部材を一列に連結することで湾曲変形可能に構成され、内部に電線が挿通されるようになっている電線ガイド体と、
伸縮性を有し、前記電線ガイド体に対し周方向に巻き付けて包囲する自着性布材と、
前記自着性布材を前記電線ガイド体に固定するための固定手段とを備えていることを特徴とする電線ガイド装置。
【請求項２】
前記固定手段が、前記リンク部材及び前記自着性布材とは別体の部品であり、前記自着性布材を前記リンク部材との間で挟み付けるクリップであることを特徴とする請求項１記載の電線ガイド装置。
【請求項３】
前記クリップは、前記リンク状部材同士を連結する連結部の凹部に係止される係止突起を有していことを特徴とする請求項２記載の電線ガイド装置。
【請求項４】
前記固定手段が、前記自着性布材と係止可能であって前記リンク部材に一体に形成された引掛け部であることを特徴とする請求項１記載の電線ガイド装置。
【請求項５】
前記固定手段が、
前記リンク部材及び前記自着性布材とは別体の部品であり、前記自着性布材を前記リンク部材との間で挟み付けるクリップと、
前記自着性布材と係止可能であって前記リンク部材に一体に形成された引掛け部とを含むことを特徴とする請求項１記載の電線ガイド装置。
【発明の詳細な説明】
【技術分野】
【０００１】
本発明は、電線ガイド装置に関するものである。
【背景技術】
【０００２】
特許文献１には、車両ボディとスライドドアとの間に略水平に架設される電線ガイド装置が開示されている。電線ガイド装置は、複数のリンク部材を一列に連結した形態の湾曲変形可能な電線ガイド体と、電線ガイド体の一方の端部をボディに連結するためのボディ側ブラケットと、電線ガイド体の他方の端部をスライドドアに連結するためのドア側ブラケットとを備えて構成されている。電線ガイド体と両ブラケットには、スライドドアに装備された電装品等への給電を行うためのワイヤーハーネスが挿通されている。電線ガイド体には、防塵、防水を目的としたゴムブーツが被せられている。
【先行技術文献】
【特許文献】
【０００３】
【特許文献１】特開２０１５−０７４３０７号公報
【発明の概要】
【発明が解決しようとする課題】
【０００４】
ゴムブーツは、角筒状をなしており、電線ガイド体に対しその長さ方向にスライドさせることによって包囲するようになっている。そのため、電線ガイド体の長さ寸法が大きくなると、ゴムブーツを電線ガイド体に被せる作業を行い難くなる。
【０００５】
本発明は上記のような事情に基づいて完成されたものであって、作業性の向上を図ることを目的とする。
【課題を解決するための手段】
【０００６】
本発明の電線ガイド装置は、
複数のリンク部材を一列に連結することで湾曲変形可能に構成され、内部に電線が挿通されるようになっている電線ガイド体と、
伸縮性を有し、前記電線ガイド体に対し周方向に巻き付けて包囲する自着性布材と、
前記自着性布材を前記電線ガイド体に固定するための固定手段とを備えているところに特徴を有する。
【発明の効果】
【０００７】
自着性布材は、周方向に巻き付けることによって電線ガイド体を包囲するようになっているので、電線ガイド体が長尺であっても作業が簡単で済む。また、自着性布材は、固定手段によって電線ガイド体に固定されるので、電線ガイド体から外れたり捲れたりする虞はない。尚、本発明における自着性布材は、織布等からなる布状基材に天然ゴム等の自着剤を付着させたものであり、自着性布材同士を密着させると互いに密着状態に保持されるものと定義する。
【図面の簡単な説明】
【０００８】
【図１】実施例１の電線ガイド装置の斜視図
【図２】リンク部材にクリップを取り付けた状態をあらわす斜視図
【図３】電線ガイド装置の断面図
【図４】実施例２の電線ガイド装置の斜視図
【図５】固定用リンク部材の正面図
【図６】固定用リンク部材の側面図
【図７】電線ガイド装置の断面図
【発明を実施するための形態】
【０００９】
（ａ）本発明の電線ガイド装置は、前記固定手段が、前記リンク部材及び前記自着性布材とは別体の部品であり、前記自着性布材を前記リンク部材との間で挟み付けるクリップであってもよい。
この構成によれば、自着性布材の外側にクリップを装着すれば、自着性布材をリンク部材に固定することができる。
【００１０】
（ｂ）本発明の電線ガイド装置は、（ａ）において、前記クリップは、前記リンク状部材同士を連結する連結部の凹部に係止される係止突起を有していてもよい。
この構成によれば、連結部の凹部に係止突起を嵌入することにより、クリップがリンク部材から外れるのを防止できる。
【００１１】
（ｃ）本発明の電線ガイド装置は、前記固定手段が、前記自着性布材と係止可能であって前記リンク部材に一体に形成された引掛け部であってもよい。
この構成によれば、固定手段である引掛け部を、リンク部材に一体に形成したので、固定手段をリンク部材とは別体の部品とした場合に比べると、部品点数が少なくて済む。
【００１２】
＜実施例１＞
以下、本発明を具体化した実施例１を図１〜図３を参照して説明する。本実施例１の電線ガイド装置Ａは、車両ボディ（図示省略）と車両ボディの側面の昇降口を開閉するスライドドア（図示省略）との間、あるいは、車両ボディのキャビン床面（図示省略）とスライドシート（図示省略）との間等に架設されるものである。電線ガイド装置Ａは、１本の細長い電線ガイド体１０と、電線ガイド体１０を保護するための自着性布材２０と、自着性布材２０を電線ガイド体１０に固定するためのクリップ２１（請求項に記載の固定手段）とを備えて構成されている。電線ガイド装置Ａ（電線ガイド体１０）内には、スライドドアに装備されたパワーウインドウやスライドシートのリクライニング装置等の電装品への給電を行うためのワイヤーハーネス２５（請求項に記載の電線）が挿通されている。ワイヤーハーネス２５は、給電用の導電路として機能する複数本の被覆電線（図示省略）を束ねて構成したものである。
【００１３】
＜電線ガイド体１０＞
電線ガイド体１０は、合成樹脂からなる複数のリンク部材１１を一列に、且つ相対的に水平方向へ回動し得るように連結して構成されている。リンク部材１１は、上板部１２、下板部１３、左右両側板部１４を有し、全体として角筒状をなしている。上板部１２と下板部１３のうち、電線ガイド体１０の長さ方向における一方の端部には、上下方向に貫通する円形の軸受孔１６を有する上下一対の軸受側連結部１５が形成されている。上板部１２における他方の端部には、上面に軸部１８が突出形成された軸側連結部１７（請求項に記載の連結部）が形成され、下板部１３における他方の端部には、下面に軸部１８が突出形成された軸側連結部１７（請求項に記載の連結部）が形成されている。
【００１４】
隣り合うリンク部材１１同士は、上下一対の軸部１８を上下一対の軸受孔１６に嵌合させることにより、上下方向の軸を中心として相対的に水平方向へ回動し得るように連結されている。軸部１８と軸受孔１６を嵌合した状態では、上側の軸部１８の上面と下側の軸部１８の下面が、夫々、軸受孔１６の内部で上方と下方へ露出している。そして、上側の軸部１８の上面と下側の軸部１８の下面には、夫々、軸部１８と同心状の円形をなす凹部１９が、外部に露出した形態で形成されている。この凹部１９は、肉抜き（金型成型時におけるヒケと称される軸部１８の変形を抑制するために軸部１８の肉厚を薄くすること）を目的として形成されたものであるが、後述するクリップ２１を係止させる手段しての機能も兼ね備えている。
【００１５】
＜自着性布材２０＞
自着性布材２０は、織布等からなる布状基材の両面に、天然ゴム等の自着剤（図示省略）を付着させたものである。尚、自着剤は布状基材の片面のみに付着させてもよい。布状基材としては、伸縮性を有する織布や不織布が用いられる。布状基材の素材としては、綿（木綿）、絹、麻などの天然繊維や、ポリエステル、ポリアミド、アクリル樹脂、ポリウレタン、ポリエチレン、ポリプロピレンなどの合成繊維や、アセテート繊維などの半合成繊維や、レイヨン繊維、キュプラ繊維などの再生繊維等を用いることができる。
【００１６】
布状基材は、略方形のシート状をなす。布状基材の長辺は、電線ガイド体１０の長さとほぼ同じ寸法に設定されている。布状基材の短辺は、電線ガイド体１０（リンク部材１１）の周長に重ね代を加えた寸法に設定されている。ここで、周長とは、上板部１２の幅寸法と下板部１３の幅寸法と左右両側板部１４の高さ寸法を併せた寸法である。また、重ね代とは、例えば、上板部１２又は下板部１３の幅寸法、あるいは側板部１４の高さ寸法に相当する寸法である。
【００１７】
自着剤は、自着剤同士を結合させることが可能な粘着性を有している。また、自着剤は、布状基材基材に対しても結合力を発揮する粘着性も有している。この自着剤の粘着力は、布状基材を破損させない程度の引張力が加えられたときに、自着剤同士の結合や、自着剤と布状基材との結合を解除するような強さである。また、自着剤の素材としては、天然ゴム、天然ゴムと合成ゴムとを混合したもの、アクリル系重合体等を用いることができる。
【００１８】
自着性布材２０は、その長辺を電線ガイド体１０の長さ方向に沿う向きにして、電線ガイド体１０の外面に巻き付けられ、長辺側の２つの縁部のうち一方の縁部が、他方の縁部の外面に重ね合わせられて密着されている。この２つの縁部が重なった領域の幅寸法（又は、高さ寸法）は、上記の重ね代に相当する寸法である。そして、自着剤の粘着力により、自着性布材２０の長辺に沿った２つの縁部が結合し、自着性布材２０が、電線ガイド体１０を全周に亘り且つ全長に亘って包囲した状態となる。尚、自着性布材２０は、長辺側の２つの縁部を重ね合わせる際等の作業性を考慮して、密着と剥離を繰り返すことができるようになっている。
【００１９】
＜クリップ２１＞
クリップ２１は、合成樹脂製からなり、リンク部材１１及び自着性布材２０とは別体の単一部品である。クリップ２１は、上下方向に細長い本体部２２と、本体部２２の上下両端から水平に延出する上下一対のアーム部２３と、上側のアーム部２３の延出端から下向きに突出する係止突起２４と、下側のアーム部２３の延出端から上向きに突出する係止突起２４とを備えている。
【００２０】
クリップ２１は、リンク部材１１に対し自着性布材２０を挟んだ状態で組み付けられる。このとき、クリップ２１は、１つのリンク部材１１に対し左右両側から対称に挟むように一対設けられる。また、クリップ２１を取り付けるリンク部材１１は、電線ガイド体１０の端末に位置するもの、電線ガイド体１０の長さ方向における中央部に位置するもの等、任意に選定することができる。
【００２１】
クリップ２１をリンク部材１１に取り付けた状態では、本体部２２が、側板部１４の外面に対し自着性布材２０を挟んで対応し、上側のアーム部２３が、上板部１２の上面に対し自着性布材２０を挟んで対応し、下側のアーム部２３が、下板部１３の下面に対し自着性布材２０を挟んで対応する。そして、上側の係止突起２４が、自着性布材２０を挟んで上側凹部１９内に嵌入し、下側の係止突起２４が、自着性布材２０を挟んで下側の凹部１９内に嵌入する。上下一対の係止突起２４が凹部１９に嵌入することにより、クリップ２１は、リンク部材１１に取り付けた状態に保持されるとともに、自着性布材２０をリンク部材１１の外面に沿って包囲する状態に保持する。
【００２２】
ここで、自着性布材２０の長辺に沿った２つの縁部が、上板部１２の上面又は下板部１３の下面で重なっている場合、その重なった２つの縁部は、アーム部２３と上板部１２又は下板部１３との間で挟まれるとともに、係止突起２４による食い込み作用により、凹部１９内に押し込まれるので、剥がれる虞はない。また、長辺に沿った２つの縁部が、側板部１４の外面で重なっている場合、その重なった２つの縁部は、アーム部２３と上板部１２又は下板部１３との間で挟まれることによって、剥がれが防止される。したがって、自着性布材２０は、電線ガイド体１０を包囲した状態に保持される。また、自着性布材２０は伸縮性を有しているので、電線ガイド体１０が湾曲変形する際に、電線ガイド体１０の動きが自着性布材２０によって妨げられることはない。
【００２３】
本実施例１の電線ガイド装置Ａは、複数のリンク部材１１を一列に連結することで湾曲変形可能に構成され、内部にワイヤーハーネス２５が挿通されるようになっている電線ガイド体１０と、伸縮性を有し、電線ガイド体１０に対し周方向に巻き付けて包囲する自着性布材２０と、自着性布材２０を電線ガイド体１０に固定するためのクリップ２１とを備えている。ここで、自着性布材２０は、織布等からなる布状基材に天然ゴム等の自着剤を付着させたものであり、自着性布材２０同士を密着させると互いに密着状態に保持されるものと定義する。自着性布材２０は、周方向に巻き付けることによって電線ガイド体１０を包囲するようになっているので、電線ガイド体１０が長尺であっても作業が簡単で済む。また、自着性布材２０は、クリップ２１によってリンク部材１１に固定されるので、電線ガイド体１０から外れたり捲れたりする虞はない。
【００２４】
また、本実施例１の電線ガイド装置Ａでは、自着性布材２０をリンク部材１１に固定するための固定手段として、リンク部材１１及び自着性布材２０とは別体の部品であり、自着性布材２０をリンク部材１１との間で挟み付けるクリップ２１を用いている。この構成によれば、自着性布材２０の外側にクリップ２１を装着すれば、自着性布材２０をリンク部材１１に固定することができる。また、クリップ２１は、リング状部材同士を連結する軸側連結部１７の凹部１９に係止される係止突起２４を有している。この構成によれば、連結部の凹部１９に係止突起２４を嵌入することにより、クリップ２１がリンク部材１１から外れるのを防止できる。
【００２５】
＜実施例２＞
次に、本発明を具体化した実施例２を図４〜図７を参照して説明する。本実施例２の電線ガイド装置Ｂは、自着性布材２０を電線ガイド体１０に固定するための固定手段を上記実施例１とは異なる構成としたものである。その他の構成については上記実施例１と同じであるため、同じ構成については、同一符号を付し、構造、作用及び効果の説明は省略する。
【００２６】
本実施例２の電線ガイド装置Ｂでは、電線ガイド体１０を構成する複数のリンク部材１１のうちいずれか１つ又は複数のものは、固定用リンク部材１１Ｆ（請求項に記載のリンク部材１１）となっている。固定用リンク部材１１Ｆは、電線ガイド体１０の長さ方向における両端部、電線ガイド体１０の長さ方向における一方の端部、電線ガイド体１０の長さ方向における中央部等、適宜に設定した位置に配置されている。固定用リンク部材１１Ｆは、固定手段を有しているという点で他のリンク部材１１と異なるが、固定手段以外の形態は他のリンク部材１１と同一形態である。
【００２７】
固定用リンク部材１１Ｆには引掛け部３０が一体に形成されており、この引掛け部３０が固定手段として機能する。引掛け部３０は、固定用リンク部材１１Ｆを構成する左右両側板部１４の外面から突出した形態である。１つの側板部１４には、一対の引掛け部３０が、上下方向に間隔を空けて設けられている。この高さの異なる一対の引掛け部３０は、電線ガイド体１０の長さ方向においてほぼ同じ位置に配置されている。各引掛け部３０は、側板部１４の外面から略直水平に突出する基部３１と、基部３１の突出端から上方へ片持ち状に延出した係止部３２とから構成され、略Ｌ字形をなしている。
【００２８】
自着性布材２０を電線ガイド体１０に巻き付けた状態では、固定用リンク部材１１Ｆにおいて引掛け部３０の係止部３２の先端が、自着性布材２０の布状基材に引っ掛かる。この引っ掛かり作用により、自着性布材２０が電線ガイド体１０に対し長さ方向や周方向に位置ずれすることが防止される。
【００２９】
本実施例２の電線ガイド装置Ｂは、自着性布材２０を電線ガイド体１０に固定するための固定手段が、自着性布材２０と係止可能であって固定用リンク部材１１Ｆに一体に形成された引掛け部３０である。この構成によれば、固定手段である引掛け部３０を、固定用リンク部材１１Ｆに一体に形成したので、固定手段を固定用リンク部材１１Ｆとは別体の部品とした場合に比べると、部品点数が少なくて済む。
【００３０】
＜他の実施例＞
本発明は上記記述及び図面によって説明した実施例に限定されるものではなく、例えば次のような実施例も本発明の技術的範囲に含まれる。
（１）上記実施例１では、クリップの係止突起を連結部の凹部に係止したが、係止突起は、連結部の凹部以外の部位に係止してもよい。
（２）上記実施例１では、係止突起の係止対象である凹部が肉抜きのために形成されたものであったが、係止突起の係止対象は、肉抜き以外の目的で形成された部位であってもよい。
（３）上記実施例１では、係止突起の係止対象（凹部）が、肉抜きのために形成されたものであるが、係止突起の係止対象は、係止突起の係止のみを目的として形成されたものであってもよい。
（４）上記実施例１，２では、自着性布材が、電線ガイド体の全長とほぼ同じ寸法の長辺と、電線ガイド体の周長よりも少し大きい寸法の短辺を有する略方形のシート状であるが、自着性布材は、テープ状をなすものであってもよい。この場合、自着性布材を電線カバーの外周に螺旋状に巻き付けていけばよい。
（５）上記実施例２では、１つの側板部に形成されている上下一対の引掛け部が、電線ガイド体の長さ方向において互いに同じ位置に配置されているが、上下一対の引掛け部は、電線ガイド体の長さ方向において互いに異なる位置に配置されていてもよい。
（６）上記実施例２では、１つの側板部において一対の引掛け部が上下に間隔を空けて配置されているが、一対の引掛け部は、同じ高さに配置されていてもよい。
（７）上記実施例２では、１つの側板部に一対の引掛け部が形成されているが、１つの側板部に形成する引掛け部の数は、１つだけでもよく、３つ以上であってもよい。
（８）上記実施例２では、引掛け部が略Ｌ字形に屈曲した形状をなしているが、引掛け部は、直線状に突出した形状であってもよい。
（９）自着性布材を電線ガイド体に固定するための固定手段として、実施例１に記載された固定手段（クリップ）と、実施例２に記載された固定手段（引掛け部）とを組み合わせた形態の固定手段とすることも可能である。
【符号の説明】
【００３１】
Ａ…電線ガイド装置
Ｂ…電線ガイド装置
１０…電線ガイド体
１１…リンク部材
１１Ｆ…固定用リンク部材（リンク部材）
１７…軸側連結部（連結部）
１９…凹部
２０…自着性布材
２１…クリップ（固定手段）
２４…係止突起
２５…ワイヤーハーネス（電線）
３０…引掛け部（固定手段）
【図１】
2017055549.tif 000003
【図２】
2017055549.tif 000004
【図３】
2017055549.tif 000005
【図４】
2017055549.tif 000006
【図５】
2017055549.tif 000007
【図６】
2017055549.tif 000008
【図７】
2017055549.tif 000009